(57)【要約】      （修正有）【課題】収納物の種類に応じて複数の収納ポケットを備えると共に、収納ポケットを使用しないときは膨らまず、薄い形状にできるランドセルカバーを提供する。【解決手段】第１のポケット部１１が表面の下側にマチを有し、第２のポケット部１２がその入口の蓋となり、ファスナーで開閉し、第３のポケット部が裏面の下側にマチを有し、底部にランドセルの差込みを引き出し、上部にランドセルの肩ベルトを通す窓部２を備えるランドセルカバーである。【選択図】図１
0003218274.tif 000002
【実用新案登録請求の範囲】
【請求項１】
ランドセルカバーであって、
表面の下側にマチを有する第１のポケット部と、
当該第１のポケット部の入口の蓋となり、ファスナーで開閉する第２のポケット部と、
裏面の下側にマチを有し、底部にランドセルの差込みを引き出す第３のポケット部とを備えることを特徴とするランドセルカバー。
【請求項２】
上部にランドセルの肩ベルトを通す窓部と、前記ランドセルの吊りカンに固定する固定用ゴムリングとを備えることを特徴とする請求項１記載のランドセルカバー。
【請求項３】
第１のポケット部の上部表面に第１の面ファスナーと、第２のポケット部の裏面の前記第１の面ファスナーに対応する位置に第２の面ファスナーとを設け、前記第１の面ファスナーと前記第２の面ファスナーとが接着することを特徴とする請求項１又は２記載のランドセルカバー。
【請求項４】
第１のポケット部と第３のポケット部の入口には、ゴム紐が取り付けられていることを特徴とする請求項１乃至３のいずれか記載のランドセルカバー。
【考案の詳細な説明】
【技術分野】
【０００１】
本考案は、ランドセルカバーに係り、特に、複数の収納ポケットを備えて当該ポケットに物を収納しない場合は膨らむことがないランドセルカバーに関する。
【背景技術】
【０００２】
［先行技術の説明］
最近、小学生は持ち物が多く、登下校時に両手がふさがるほどの荷物を持ち歩く子供たちを見かけることがある。
両手がふさがることで、転倒時に怪我をするおそれがあり、車両との接触も心配される。
また、所持品の種類によって収納場所が決まっていないために忘れ物も多くなる傾向にある。
そこで、従来のランドセルカバーには、収納部を備える構成のものがあった。
【０００３】
［関連技術］
尚、関連する先行技術としては、特開２０１６−１５４８３２号公報「ランドセル用カバー」（特許文献１）、実用新案登録第３２００６８１号公報「ランドセル用サブザック」（特許文献２）、実用新案登録第３１８４８４０号公報「バッグ付ランドセルカバー」（特許文献３）、実用新案登録第３１１３９５２号公報「ランドセル用カバー」（特許文献４）がある。
【０００４】
特許文献１には、ランドセルカバーの外側に２つの箱型の収納部を備えたことが記載されている。
特許文献２には、ランドセルの蓋の内側にサブバックを取り付け可能としたことが記載されている。
【０００５】
特許文献３には、ランドセルの蓋の内側に手提げバッグを取り付け可能としたことが記載されている。
特許文献４には、ランドセルカバーの外側にファスナー付きのポケットを有することが記載されている。
【先行技術文献】
【特許文献】
【０００６】
【特許文献１】特開２０１６−１５４８３２号公報
【特許文献２】実用新案登録第３２００６８１号公報
【特許文献３】実用新案登録第３１８４８４０号公報
【特許文献４】実用新案登録第３１１３９５２号公報
【考案の概要】
【考案が解決しようとする課題】
【０００７】
しかしながら、従来のランドセルカバーでは、収納物の種類に応じて複数の収納ポケットを備えるものではなく、しかも、収納ポケットを使用しないときは膨らまない構成とはなっていないという問題点があった。
【０００８】
尚、特許文献１〜４には、収納物の種類に応じて複数のポケットを用意して、ポケットを使用しないときは膨らまず、コンパクトな形状にすることができることは記載されていない。
【０００９】
本考案は上記実状に鑑みて為されたもので、収納物の種類に応じて複数の収納ポケットを備えると共に、収納ポケットを使用しないときは膨らまず、薄い形状にできるランドセルカバーを提供することを目的とする。
【課題を解決するための手段】
【００１０】
上記従来例の問題点を解決するための本考案は、ランドセルカバーであって、表面の下側にマチを有する第１のポケット部と、第１のポケット部の入口の蓋となり、ファスナーで開閉する第２のポケット部と、裏面の下側にマチを有し、底部にランドセルの差込みを引き出す第３のポケット部とを備えることを特徴とする。
【００１１】
本考案は、上記ランドセルカバーにおいて、上部にランドセルの肩ベルトを通す窓部と、ランドセルの吊りカンに固定する固定用ゴムリングとを備えることを特徴とする。
【００１２】
本考案は、上記ランドセルカバーにおいて、第１のポケット部の上部表面に第１の面ファスナーと、第２のポケット部の裏面の第１の面ファスナーに対応する位置に第２の面ファスナーとを設け、第１の面ファスナーと第２の面ファスナーとが接着することを特徴とする。
【００１３】
本考案は、上記ランドセルカバーにおいて、第１のポケット部と第３のポケット部の入口には、ゴム紐が取り付けられていることを特徴とする。
【考案の効果】
【００１４】
本考案によれば、表面の下側にマチを有する第１のポケット部と、第１のポケット部の入口の蓋となり、ファスナーで開閉する第２のポケット部と、裏面の下側にマチを有し、底部にランドセルの差込みを引き出す第３のポケット部とを備えるランドセルカバーとしているので、収納物の種類に応じて複数のポケットを利用でき、収納ポケットを使用しないときは膨らまず、薄い形状にできる効果がある。
【図面の簡単な説明】
【００１５】
【図１】本カバーの表面図である。
【図２】本カバーの裏面図である。
【図３】本カバーの側面断面説明図である。
【図４】蓋部を持ち上げた状態を示す概略図である。
【図５】本カバーの使用例を示す概略図である。
【考案を実施するための形態】
【００１６】
本考案の実施の形態について図面を参照しながら説明する。
［実施の形態の概要］
本考案の実施の形態に係るランドセルカバー（本カバー）は、表面の下側にマチを有する第１のポケット部と、その入口の蓋となり、ファスナーで開閉する第２のポケット部と、裏面の下側にマチを有し、底部にランドセルの差込みを引き出す第３のポケット部とを備えるものとしているので、収納物の種類に応じて複数のポケットを利用でき、収納ポケットを使用しないときは膨らまず、薄い形状にできるものである。
【００１７】
［本カバー：図１〜３］
本カバーについて図１〜３を参照しながら説明する。図１は、本カバーの表面図であり、図２は、本カバーの裏面図であり、図３は、本カバーの側面断面説明図である。
以下、本カバー１の表面、裏面、側面を説明する。
【００１８】
［本カバー表面：図１］
本カバー１の表面は、図１に示すように、カバー表面１０ａと、そのカバー表面１０ａの下側に設けられた第１のポケット部１１と、そのカバー表面１０ａの上部にランドセルの肩ベルトを通す窓部２とを備えている。
【００１９】
更に、カバー表面１０ａの中央下側で横方向に反射テープ１４が形成され、その反射テープ１４の下側に第１のポケット部１１の入口を覆う蓋部にもなる第２のポケット部１２が形成されている。
また、蓋部は図１の中央横方向の点線で固定され、その点線までめくり上げることができるようになっている。詳細は後述する。
【００２０】
本カバー１の上部の係止部１５は、ランドセルの肩ベルトを窓部２に通した場合に、肩ベルトに係止されるものである。
また、窓部２の中央で本カバー本体には固定用ゴムリング１６が形成されている。
固定用ゴムリング１６は、伸縮自在のループ状のゴム紐で、ランドセルの吊りカンに固定される。
【００２１】
第１のポケット部１１は、後述するように、入口に収縮自在のゴム紐が取り付けらており、側面及び底面にマチが設けられ、収納物を入れると膨らむようになっている。このゴム紐により、収納物が容易に飛び出ることがないものである。また、収納物を取り出してマチをたためば、薄い形状に戻すことができる。
第２のポケット部１２は、ファスナー１３で開閉し、小物を収納できるようになっている。
【００２２】
［本カバー裏面：図２］
本カバー１の裏面は、図２に示すように、カバー裏面１０ｂと、本体の中央下側に形成された第３のポケット部１８と、そのカバー裏面１０ｂの上部にランドセルの肩ベルトを通す窓部２とを備えている。
窓部２は、本体の表裏を貫通し、固定用ゴムリング１６と係止部１５も同様に形成されている。
【００２３】
また、カバー裏面１０ｂの上部で横方向に固定用ゴムベルト１７が設けられ、本体の長辺の端部で固定されている。
当該固定用ゴムベルト１７とカバー裏面１０ｂとの間にランドセルのかぶせ（冠）が挿入され、更に第３のポケット部１８の上部入口（上側の白矢印）に挿入されて、第３のポケット部１８の下側（下側の白矢印）からランドセルの錠前（固定金具）に接続する差込みが引き出されるようになっている。
かぶせの挿入は、その内側面に固定用ゴムベルト１７と第３のポケット部１８裏面が接するようにする。
【００２４】
第３のポケット部１８は、入口に収縮自在のゴム紐が取り付けられており、側面及び底面にマチが設けられ、収納物を入れると膨らむようになっている。このゴム紐により、収納物が容易に飛び出ることがなく、また、収納物を取り出してマチをたためば、薄い形状に戻すことができる。
但し、下側は差込みを通すために開口しているので、小物ではなく体操着等の衣類、上履き等を収納するのに適している。
【００２５】
［本カバーの側面断面：図３］
本カバー１の側面断面は、図３に示すように、右側が本カバー１の外側で、左側が本カバー１の内側となっている。
図３に示すように、カバー表面１０ａには、第１のポケット部１１が形成され、その第１のポケット部１１の入口を覆うように第２のポケット部１２が設けられている。
【００２６】
また、カバー裏面１０ｂには、固定用ゴムベルト１７と、第３のポケット部１８が形成されている。
更に、本体上部では、窓部２を介して係止部１５が形成され、窓部２の下側の本体には固定用ゴムリング１６が設けられている。
【００２７】
図３に示すように、第１のポケット部１１の底部は、カバー表面１０ａに固定されており、マチを備えている。
第３のポケット部１８は、上部が開口して側面がカバー裏面１０ｂに固定され、底部がランドセルの差込みを通すために一部開口している。
【００２８】
［蓋部を持ち上げた状態：図４］
次に、第２のポケット部１２を有する蓋部を持ち上げた状態について図４を参照しながら説明する。図４は、蓋部を持ち上げた状態を示す概略図である。
蓋部が持ち上げられると、図４に示すように、第１のポケット部１１の中央上部に面ファスナー１１ａが設けられ、対応する蓋部の裏面にも面ファスナー１２ａが設けられている。
２つの面ファスナー１１ａ，１２ａが接着することで、第１のポケット部１１内の収納物が飛び出ることがない。
【００２９】
［本カバーの使用例：図５］
本カバーの使用例について図５を参照しながら説明する。図５は、本カバーの使用例を示す概略図である。
図５に示すように、ランドセルのかぶせの外側面全体に設けられ、中央横方向に反射テープ１４が設けられている。
【００３０】
また、本体の窓部２にランドセルの肩ベルトを通して係止部１５と固定用ゴムリング１６で本体上部が固定されるので、本体の上部端部がめくれることがない。
更に、本カバー１の第１のポケット部１１と第３のポケット部１８に収納物が収納されていない場合には、各ポケット部のマチをたたむことができるので、膨らむことがなく、薄い形状にできるものである。
【００３１】
［実施の形態の効果］
本カバーによれば、第１のポケット部１１が表面の下側にマチを有し、第２のポケット部１２がその入口の蓋となり、ファスナーで開閉し、第３のポケット部１８が裏面の下側にマチを有し、底部にランドセルの差込みを引き出すものとしているので、収納物の種類に応じて複数のポケットを利用でき、収納ポケットを使用しないときはマチが畳まれて膨らまず、薄い形状にできる効果がある。
【産業上の利用可能性】
【００３２】
本考案は、収納物の種類に応じて複数の収納ポケットを備えると共に、収納ポケットを使用しないときは膨らまず、薄い形状にできるランドセルカバーに適している。
【符号の説明】
【００３３】
１…本カバー、  ２…窓部、  １０ａ…カバー表面、  １０ｂ…カバー裏面、  １１…第１のポケット部、  １１ａ…面ファスナー、  １２…第２のポケット部、  １２ａ…面ファスナー、  １３…ファスナー、  １４…反射テープ、  １５…係止部、  １６…固定用ゴムリング、  １７…固定用ゴムベルト、  １８…第３のポケット部
【図１】
0003218274.tif 000003
【図２】
0003218274.tif 000004
【図３】
0003218274.tif 000005
【図４】
0003218274.tif 000006
【図５】
0003218274.tif 000007